(57)【特許請求の範囲】
【請求項１】
２つのコンピュータ・ステーションの間、または２つのパーソナライズド・ポータブル製品の間、または１つのパーソナライズド・ポータブル製品（１）と１つのコンピュータ・ステーション（２０）の間など、少なくとも２つのユニットの間の情報の無線伝送の方法であって、ポータブル製品とステーションはそれぞれ、複数の使用可能な搬送波から選択された１つの搬送波で変調された情報フレーム（４０）を双方向伝送するための信号送信および／または受信手段（２、１３；２４、２６）を有し、送信および／または受信手段（２、１３；２４、２６）は、活動化されたとき交互に信号送信モードおよび信号受信モードに切り替えられ、ポータブル製品（１）は、送信および／または受信手段（２、１３；２４、２６）に接続されて受信あるいは送信された情報フレーム（４０）を管理するためのデータ管理ユニット（１２）と、そのデータ管理ユニット（１２）に接続されるデータ格納用メモリ（１１）とを含み、
選択された搬送波上に変調され、かつ等しい値の特定のバイト数および情報パケット（４２）からなる同期フィールド（４１）を含む情報フレーム（４０）を一方のユニットから他方のユニットへ送信するステップと、
受信されたフレームの同期フィールドのバイトをカウントするステップと、
カウントされたバイト数を特定のしきい値数と比較して、受信される次のフレームの同期フィールドのバイト数を修正するための指示（４９）を送信するステップとを含む方法。
【請求項２】
送信モードに切り替えられたとき第１のユニット（２０）から第２のユニット（１）に、選択された搬送波上に変調され、かつ連続した等しい値の第１のバイト数を有する同期フィールド（４１）と情報パケット（４２）を含む第１の情報フレーム（４０）を送信するステップと、
受信モードに切り替えられたとき第２のユニット（１）において、第１のフレーム（４０）内で受信された同期バイトをカウントするステップと、
第１のユニット（２０）において、第１のフレーム（４０）内でカウントされた同期バイトの数を特定のしきい値数と比較するステップと、
送信モードに切り替えられたとき第２のユニット（１）から第１のユニット（２０）に、選択された搬送波上に変調され、かつ同期フィールド（４１）を含む第２の情報フレーム（４０）を送信するステップであって、この同期フィールドは、連続した等しい値の第２のバイト数と、ヘッディング（４４）を含む情報パケット（４２）とを含み、ヘッディングは、第１のフレーム内でカウントされた同期バイトの数および特定のしきい値数との比較に応じて同期修正指示（４９）を含む、送信するステップと、
受信モードに切り替えられたとき第１のユニット（２０）において、連続した等しい値の第３のバイト数を含む同期フィールド（４１）を含む第３の情報フレーム（４０）を送信するために、第２のフレームにおいて受信された修正指示（４９）に応じて少なくとも１つの同期バイトを追加あるいは差し引くことによって、第１の同期バイトの数を修正するステップであって、第３のバイト数は第１のバイト数とは異なる、修正するステップとを含むことを特徴とする請求項１に記載の方法。
【請求項３】
第１のユニット（２０）によって送信された第１のフレームにおける情報パケット（４２）が、第１のフレーム（４０）のパケットのヘッディング内に、第２のユニットによって送信された先行する受信フレーム内でカウントされた同期バイトの数と別の特定のしきい値数との比較に応じた別の同期修正指示を含み、第１のフレームにおいて送信された修正指示に応じて少なくとも１つの同期バイトを追加あるいは差し引くことによって、第２の同期バイトの数を修正することを特徴とする請求項２に記載の方法。
【請求項４】
第１のユニットがコンピュータ・ステーション（２０）であり、第２のユニットがパーソナライズド・ウォッチであり、コンピュータ・ステーションと、前記ステーションの受信可能エリアに位置するパーソナライズド・ウォッチの間で行われる第１の問合せフェーズにおいて、コンピュータ・ステーション（２０）が、第１の情報フレームに先行して、各情報フレーム同期フィールドより長い特定の期間を占有する基本同期信号を選択された搬送波で送信すること、および、パーソナライズド・ウォッチ（１）が、コンピュータ・ステーションからの基本同期信号の第１の送信の開始の後に続いて特定の時間の後に送信モードに切り替えられ、ウォッチが基本同期信号の複数の等しいバイトをカウントすることができるとき、コンピュータ・ステーションによって複数の使用可能な搬送波から選択された搬送波をサーチし、かつ前記選択された搬送波上にロックすることを特徴とする請求項１又は２のいずれかに記載の方法。
【請求項５】
コンピュータ・ステーション（２０）によって送信された第１のフレーム（４０）内の情報パケット（４２）のヘッディング（４４）が、問い合わせされるウォッチ（１）の識別番号を含み、かつ、パーソナライズド・ウォッチが、選択された搬送波にロックした後にその識別番号を認識しているときにのみ、第２の情報フレームをコンピュータ・ステーションに送信することを特徴とする請求項４に記載の方法。
【請求項６】
コンピュータ・ステーション（２０）が基本同期信号および第１の情報フレーム（４０）を、パーソナライズド・ウォッチ（１）がコンピュータ・ステーションへの応答をサーチするまで、繰り返し送信することを特徴とする請求項４に記載の方法。
【請求項７】
各情報パケット（４２）のヘッディング（４４）は、ウォッチなどのポータブル製品へ、あるいはコンピュータ・ステーションへ送信された情報のタイプを示すコード（４８）を含み、各パケットにおいて送信されたコードは、ウォッチの不揮発性メモリ（１１）からデータを読み取ること、データを前記メモリに書き込むこと、ウォッチの識別番号、送信された情報の受信または非受信に関係するメッセージ、送信されたデータのサイズについての情報、および情報の送信の終了についての情報を要求することに関係することを特徴とする請求項１から６のいずれかに記載の方法。
【請求項８】
コンピュータ・ステーション（２０）が、各パケットにおける情報のサイズを、許可されたエラーの数より大きい、コンピュータ・ステーションのエラー・カウンタによってカウントされた送信エラーの数に応じて適合させることを特徴とする請求項１から７のいずれかに記載の方法。
【請求項９】
コンピュータ・ステーション（２０）が、第１の情報フレームの情報パケット（４２）のヘッディング（４４）における特有の番号を送信して、コンピュータ・ステーションの受信可能エリア内の、識別されていないパーソナライズド・ウォッチ（１）などいずれかのポータブル製品が、その個別識別番号を送信することによって応答できるようにすること、および、コンピュータ・ステーションが、応答しているパーソナライズド・ウォッチの識別番号を格納することを特徴とする請求項４に記載の方法。
【発明の詳細な説明】
【０００１】
【発明の属する技術分野】
本発明は、２つのコンピュータ・ステーションの間、または２つのパーソナライズド・ポータブル製品の間、または１つのパーソナライズド・ポータブル製品と１つのコンピュータ・ステーションの間などの少なくとも２つのユニットの間で情報を伝送する方法に関する。ポータブル製品は、たとえば腕時計などのパーソナライズド・ウォッチである。この方法を実施するためのポータブル製品、たとえば時計やコンピュータ・ステーションはそれぞれ、信号を送信かつ／または受信する手段を含み、これらは送信モードと受信モードで動作する。送信される信号は、短距離無線周波数信号であることが好ましく、コンピュータ・ステーション内で、かつ／または時計内で複数の使用可能な搬送波から選択された１つの搬送波に変調された少なくとも１つの情報フレームを含む。フレームにおける情報は、たとえば、時計のメモリに格納されるデータ、またはメモリからコンピュータ・ステーションに送信されるデータに関係する。この情報はまた、送信側のソースを識別するためにオペレーションまたは要求を実行するためのコマンドにも関係する。
【０００２】
【従来の技術】
メモリからのデータまたはメモリに格納されるデータはダイアリ機能のデータであることが好ましい。ダイアリ機能がアクティブになると、様々なメニューで時計のキーを活動化することによって、先に格納されていたデータ・レコードを調べることが可能である。ダイアリ機能の様々なメニューはノート、住所録、ダイアリ、無線周波数信号によるデータの伝送、およびパラメータに関係する。ダイアリ機能の１つのメニューはデータ伝送モードに関係する。選択された伝送モードにおいて、時計のメモリからのデータがコンピュータ・ステーションに送信され、あるいはデータがコンピュータ・ステーションから受信される。このメニューが選択されるとき、原則として、伝送フェーズが終了するまで、時計の他のダイアリ機能を使用することができない。
【０００３】
コンピュータ・ステーションと電子時計との間の短距離無線周波数信号を用いたデータ転送はすでに当技術分野で知られている。たとえば、出願人の名における欧州特許出願ＥＰ０９５７５８９号では、第１および第２のユニットをリンクする通信システムを記載している。このユニットはそれぞれ、短距離無線周波数信号のデータを双方向に伝送するための送信かつ／または受信する手段を含む。第１のユニットは好ましくはパーソナライズド電子時計であり、第２のユニットはコンピュータ・ステーションである。信号を送信かつ／または受信するための手段を有する電子時計は、交換されるデータに対する特定のコンピュータ・ステーションの受信可能エリア内になければならない。
【０００４】
コンピュータ・ステーションから通信が実施されると、時計の送信および／または受信手段は、少なくとも無線周波数信号を送信かつ／または受信する各期間中にアクティブでなければならない。転送されるデータはダイアリ機能のデータであることが好ましい。データは、高周波搬送波上で変調された情報フレームにそれぞれ含まれた情報のパケットの形式で転送される。送信される各パケットのサイズは、時計内の不揮発性メモリ・ページのサイズによって決まる。したがって、すべての情報を転送するためには複数の情報フレームを送信しなければならない。
【０００５】
上の特許出願では、複数のコンピュータ・ステーションはそれぞれ各パーソナライズド・ウォッチと同じ受信可能エリア内で通信することができる。このために、各ステーションとそれに対応するパーソナライズド・ウォッチの間のデータ信号の伝送では、他のステーションと他のパーソナライズド・ウォッチの間の伝送用の搬送波とは異なる高周波搬送波を使用する。データ信号が変調される搬送波は、コンピュータ・ステーションにおいて、たとえば当技術分野で周知であるアンチ・コリジョン・プロトコルに応じて、他のステーションと他の時計の間のデータ信号の伝送を干渉しないように選択される。
【０００６】
この出願ＥＰ０９５７５８９号では、ダイアリ機能データの双方向伝送中の時計の電力消費を制限するための準備がない。これは大きい欠点である。電子時計は、低電源のエネルギーにより電力を供給される小型の計器であるため、コンピュータ・ステーションと時計の間のすべての必要なデータの伝送時間を最適化することが必要である。この最適化は、時計の送信および／または受信手段のオペレーションの時間を制限しなければならず、これにより大量のエネルギーが消費される。
【０００７】
【特許文献１】
ＥＰ０９５７５８９号
【０００８】
【発明が解決しようとする課題】
本発明の一目的は、電子時計とコンピュータ・ステーションなど、２つのユニットの間ですべてのデータを伝送するための時間を短縮することができる無線情報伝送方法を提案することによって従来技術の欠点を克服することである。送信および／または受信手段が活動化されている時間も、特に、時計など、ユニットのうち少なくとも１つについて短縮される。この伝送時間の短縮は、各ユニットの電力供給の伝送品質および状況に依存する。したがって、伝送品質に応じて各情報フレームの部分のサイズを動的に変えることが可能でなければならない。
【０００９】
【課題を解決するための手段】
このために、本発明は、上に引用したような、２つのコンピュータ・ステーションの間または２つのパーソナライズド・ポータブル製品の間または１つのパーソナライズド・ポータブル製品と１つのコンピュータ・ステーションの間などの少なくとも２つのユニットの間の情報の無線伝送の方法を提供する。
本方法は、
選択された搬送波上に変調され、かつ等しい値の特定のバイト数および情報パケットからなる同期フィールドを含む情報フレームを一方のユニットから他方のユニットへ送信するステップと、
受信されたフレームの同期フィールドのバイトをカウントするステップと、
カウントされたバイト数を特定のしきい値数と比較して、受信される次のフレームの同期フィールドのバイト数を修正するための指示を送信するステップと
を含むことを特徴とする。
【００１０】
本発明による情報伝送方法の利点は、第１のユニットと第２のユニットの間で情報を伝送する時間を節約することであり、これは同期フィールドのサイズを動的に変えることによって行う。すべてのデータの伝送が監視され、伝送エラーが最小限にされる。したがって、使用されるプロトコルは、最大限の情報を最小限の時間で伝送することを可能にしなければならない。伝送品質がよい場合、同期フィールドのサイズを最小に低減することができるのに対して、伝送品質が低下される場合、すべてのデータを一方のユニットから他方のユニットに難なく転送できるように、同期フィールドのサイズを適合させる。
【００１１】
同期フィールドのサイズを変えない場合には、そのサイズを最もクリティカルな状況における情報の伝送をも保証するために十分大きくする必要がある。この固定サイズは２つのユニットの間で情報を伝送するための時間を不利にする。
【００１２】
ユニットの一方がパーソナライズド電子時計であることが好ましいので、同期フィールドのサイズは、たとえば時計によって無線周波数信号を送信するモードと受信するモードとの間で切り替えるために要する時間によって決まる。そのうえ、切り替え時間は、時計の電子部品に電力を供給するバッテリの電圧によって決まる。この電圧が低下するにつれて、同期フィールドが増大されなければならないことは明らかである。
【００１３】
情報が各フレームから取られる前に、各ユニットは、等しい値の少なくとも最小数の同期バイト、たとえば少なくとも３つの同期バイト、および、セキュリティの処置として同じ値のさらに２つのバイトをカウントしなければならない。ユニットが、無線周波数信号用に選択された高周波搬送波にロックしているとき、受信された同期フィールドのバイトがカウントされる。
【００１４】
好ましい実施形態では、コンピュータ・ステーションからなるユニットは、たとえば時計などポータブル製品に転送されるデータのサイズを増大あるいは低減することができる。このサイズは時計の不揮発性メモリに格納されるデータ・ページのサイズによって定義されることが好ましく、たとえば６４バイトである。伝送エラーが検出されている場合、受信されていない情報フレームの伝送を繰り返すことが必要である。したがって、ステーションによって検出された伝送エラーの数が大きいほど、すべてのデータを伝送するための時間が大きい。このため、転送されるデータのサイズをコンピュータ・ステーションにおいて調整して、これらのエラーを軽減することができる。伝送品質に応じた最適が発見されなければならない。
【００１５】
好ましい実施形態では、コンピュータ・ステーションが、たとえば時計などのポータブル製品の不揮発性メモリにおけるデータの格納を可能にするようにフォーマットされたデータ・フレームを伝送する。メモリの読み取りおよび書き込みアドレスが情報フレームでコンピュータ・ステーションから転送される。これにより、情報フレームが時計のデータ管理ユニットで受信されるとき、データを読み取りあるいは書き込むためのメモリ・アドレスをルック・アップする必要が回避される。これにより、メモリを読み取りあるいは書き込む時間が節約される。
【００１６】
上述した２つのユニットの間の情報の無線伝送の方法の目的、利点および特徴は、以下の制限しない記載でより明らかになり、この記載は添付の図面を参照して与えられる。
【００１７】
【発明の実施の形態】
以下の記載は、それぞれ信号を送信かつ／または受信する手段を有する２つのユニットの間の情報の無線伝送の方法に関する。信号は、たとえば短距離無線周波数信号である。ユニットは、コンピュータ・ステーションおよび電子時計を含むことが好ましい。しかし、本発明による方法による情報の伝送を、２つのコンピュータ・ステーションの間、または２つの時計などの２つのポータブル製品の間で想定することも等しく可能である。
【００１８】
本発明による方法は多数のタイプの情報を送信することができるが、以下の説明では主に、電子時計とコンピュータ・ステーションの間のダイアリ機能に関係する情報の伝送について説明する。ダイアリ機能はノート、住所、ダイアリ・データおよびパラメータなど、ダイアリ機能メニューに関係するデータの伝送などである。
【００１９】
図１に示す実施形態では、情報の無線伝送の方法を実施するための設備として、電子ダイアリ・ウォッチ１およびコンピュータ・ステーション２０からなる２つのユニットを含む。コンピュータ・ステーション２０は本質的に、キーボード２３、マウス２２、およびすべてのダイアリ機能データを表示することができる画面２１を含む。その使用を容易にするため、コンピュータ・ステーションの画面２１上に表示されるパーソナライズド・ダイアリを従来のデスク・ダイアリのレプリカにすることができる。原則として、これは、個人のパスワードが入力されるとすぐに開かれる。ダイアリのページを画面上で、キーボード２３またはマウス２２を使用して、ダイアリの端にあるカーソルまたはタブを指定するポインタを移動させることができる。ダイアリ・ページのタイプが選択されると、すぐにたとえば対応するタブを用いて、ダイアリの対応するページが画面上で開かれ、メモリに格納されたフィールドのすべてが表示される。各メッセージ・フィールドは、たとえば最大６３の英数字文字を含むことができる。
【００２０】
コンピュータ・ステーション２０はさらに、ＵＳＢまたは他のタイプのケーブル２５によってコンピュータ・ステーションの入力に接続された周辺ユニット２４を含む。ユニット２４は、アンテナ２６を介して短距離無線周波数信号をコンピュータ・ステーション２０に送信したりそれから受信する手段を含む。異なる実施形態では、コンピュータ・ステーションの送信および／または受信手段をステーションの主要部に統合することができることはいうまでもない。同様に、時計１はアンテナ２を介して短距離無線周波数信号を送信かつ／または受信する手段も含み、これはコンピュータ・ステーションの受信可能エリア内での情報の双方向伝送のためである。それらの送信および／または受信手段を有する２つのユニットは、本発明による情報を伝送する方法を実施し、これを以下で図３ないし１１を参照して説明する。
【００２１】
図１に示す実施形態では、腕時計１はアナログの時計であり、文字盤８、時間を示す針７、ケース３内の文字盤８の下のムーブメント、ダイアリ機能情報を表示するための２つの液晶ディスプレイ５、ガラスの内面に設けたコントロール・キー４、およびケースに設けたコントロール・ボタン９を有する。ケース３内の図示しないバッテリが電力を時計の電子部品に供給する。コントロール・キー４は容量性センサであることが好ましく、これらをそれぞれ、活動化されるセンサの特定のエリアに置くユーザの指によって個別に活動化することができる。しかし、デジタル時間ディスプレイを有する時計や時計の様々な機能を活動化するためのコントロール・ボタンをケースの上に有する時計も想定できることは明らかである。
【００２２】
図２は、本発明による情報の双方向伝送の方法を実施するための、パーソナライズド・ウォッチ１およびコンピュータ・ステーション２０の様々なコンポーネントを概略的に示す。時計１は、時計のダイアリ機能を管理するようにプログラムされたマイクロプロセッサ手段１４を含む。マイクロプロセッサ手段１４はタイムベースに接続されたモジュールも含む。これは時計の文字盤８上で針７による時間の表示をコントロールする。水晶１０に接続された発振器ステージがマイクロプロセッサ手段１４に含まれ、これが時計の様々な動作のタイミングを取る。振動数は３２．７６８ｋＨｚ程度である。
【００２３】
マイクロプロセッサ１４を、たとえば、スイスの企業ＥＭ  Ｍｉｃｒｏｅｌｅｃｔｒｏｎｉｃ−Ｍａｒｉｎ  ＳＡにより製造された８ビットのＰＵＮＣＨマイクロプロセッサにすることができる。ダイアリ機能が活動化された後、コントロール・ボタンを押すことによって、コントロール・キー４を操作して信号をマイクロプロセッサ手段１４に入力することができる。キー４からの信号は、ダイアリ機能のメニューの選択、および不揮発性ＥＥＰＲＯＭ１１に格納されるデータの編集に関係する。複数のキー４のうち１つによって送信モードが活動化されていない場合、格納あるいは編集されたデータまたはパラメータのすべてを液晶ディスプレイまたはディスプレイ５の上で閲覧することが可能である。
【００２４】
マイクロプロセッサ手段１４がデータ管理ユニット１２に接続されている。これは、送信および／または受信手段と共に、情報をコンピュータ・ステーションへ転送、あるいはそれから受信する動作のすべてを管理する。時計１の送信および／または受信手段はＲＦモジュール１３とアンテナ２からなり、これらはこの特定の技術分野における当業者の一般的な背景知識の一部を形成するものであるので、詳細に説明しない。
【００２５】
送信モードが選択されるとき、マイクロプロセッサ手段１４に関係なく、データ管理ユニット１２が時計の他のダイアリ機能をブロックする。その際、その管理ユニットは不揮発性メモリ１１を直接読み取ることができ、あるいは受信されたデータを直接メモリに書き込むことができる。管理ユニット１２は、クロック発振器からのクロック信号によってタイミングを取られる。したがって、クロック発振器の周波数を使用して、情報の双方向伝送（３２７６８ボーのデータ転送速度における）のために、選択された高周波搬送波上に情報を変調することが有利である。
【００２６】
特にダイアリ機能に関係する情報を送信するために、コンピュータ・ステーション２０は、メモリ手段３０に接続されてデータ管理プログラムを実行するコントロール手段３１を含む。コントロール手段３１は、マウスまたはキーボードを用いて実行されたすべての動作をステーション２０の画面で閲覧できるようにする。また、コンピュータ・ステーション２０は周辺ユニット２４も含む。これは無線周波数信号を送信かつ／または受信する手段を含み、これらは本質的にＲＦモジュール２７およびアンテナ２６からなる。手段３１またはＲＦモジュール２７から来る信号を変換するために、コンピュータ・ステーション２０の主要部におけるＵＳＢインターフェイス２９、および周辺ユニットにおける別のＵＳＢインターフェイス２８がケーブル２５によって接続されている。
【００２７】
パーソナライズド・ウォッチ１との通信を確立するために、コンピュータ・ステーション２０は、通常は最低の干渉を受ける５つの使用可能なチャネルのうち少なくとも１つを選択する。時計はコンピュータ・ステーションの受信可能エリアになければならず、時計の送信モードがパーソナライズド・コールに応答するように選択されなければならない。時計は、ステーションによって選択された伝送チャネルにロックされ、かつその識別番号の認識に成功しているときにのみ、コンピュータ・ステーションに応答することは言うまでもない（以下参照）。
【００２８】
各伝送チャネルは、たとえば約４３４ＭＨｚの周波数での特定の高周波搬送波に対応する。データの双方向伝送では、同期信号を選択された搬送波へ変調しなければならない。このタスクがコンピュータ・ステーションによって管理されて、電力消費に関してコストのかかる様々なタスクが時計から省かれる。
【００２９】
本発明による伝送方法の利点を、以下で図３ないし１１を参照してより詳細に説明する。各ユニットにおける送信および／または受信手段は、送信モードおよび受信モードに切り替えられる。したがって、選択された搬送波上に変調された情報フレームが各ユニットから送信され、これを以下で、最初に図３および４を参照して説明する。
【００３０】
時計は不揮発性ＥＥＰＲＯＭを含んでいるので、メモリからのデータがメモリ・ページ単位で送信あるいは受信される。このサイズはデフォルトにより各情報フレームにおいて６４バイトに固定される。しかし、送信されるデータのサイズを３２、６４、１２８または２５６バイトに、特にコンピュータ・ステーションによって設定することができる。このために、すべての情報が送信されるまで、各ユニットの送信および／または受信手段を交互に送信モードおよび受信モードに切り替えなければならない。最大可能なデータ・サイズを有する情報フレームを送信することが有利であることは言うまでもないが、受信側ユニットでエラーが検出されたときにフレームを再送信する必要を回避するために最適なサイズを発見しなければならない。
【００３１】
最初に、コンピュータ・ステーションが通信することを望むパーソナライズド・ウォッチと接触しようと試みなければならない。このために、コンピュータ・ステーションは伝送チャネルを使用可能な５つの伝送チャネルから選択する。選択された搬送波上に変調された情報は、本発明による伝送方法によって送信されたデータの認識に必要な同期情報を含む。
【００３２】
この接触を確立する最初のフェーズ中に、コンピュータ・ステーションは、同じ値を有する長い一連の同期バイトを送信する。これは２．７秒程度の持続時間を有することがある。ノイズで混乱させないために、同期バイトは１６進数で８１の値を有することが好ましく、これは２進数では１００００００１である。さらに、これにより、同期バイトの開始を発見することが可能となる。搬送波上に変調された情報の周波数は３２．７６８ｋＨｚ程度であるので、同じ値を有する１１０００を越える同期バイトがある。同期時間ｔＬは、接触された時計が５つの伝送チャネルを走査して、コンピュータ・ステーションによって選択された伝送チャネルを探し出すことができる時間でなければならない。さらに、時間ｔＬはまた、電力を節約するために、時計の送信および／または受信手段の残りの期間も考慮に入れ、２．５秒に設定することができる。伝送チャネルを探し出すために、時計は、５つの現在使用可能な伝送チャネルをそれぞれを走査中であるとき、同期バイトをカウントできなければならない。
【００３３】
図３のように、コンピュータ・ステーションの送信モードでは、長い一連の同期バイトの後に直接第１の情報フレーム４０が続く。これは可変サイズの同期フィールド４１、情報パケット４２および少なくとも２つのフィラー・バイト４３を含む。フィラー・バイトは主に、送信および／または受信手段を送信モードおよび受信モードの間で切り替えるために使用される。フィラー・バイトの値を１６進数で００に設定して、情報パケット４２におけるデータとの、かつ同期バイトとの競合を回避することができる。
【００３４】
時計が、第１のフレームの長い一連の同期バイトまたは同期フィールド中にコンピュータ・ステーションによって選択された伝送チャネル上にロックすることができた場合、その送信および／または受信手段を切り替えた後に第２の情報フレームを用いてコンピュータ・ステーションに応答する。２つのユニットの間の情報フレームの交互の伝送は、すべての情報が転送されるまで、このように継続する。すべての情報を送信するには、たとえば送信されるデータの品質に応じて数分を要する可能性がある。
【００３５】
各ユニットにおいて送信モードから受信モードに切り替えるための最悪の場合のシナリオでは、送信および／または受信手段を切り替えるための時間ｔＲＦが２０ｍｓ未満である。時計における切り替えは、コンピュータ・ステーションにおける切り替えに比較して相対的に遅く、これは時計がバッテリで電力を供給されているのに対して、コンピュータ・ステーションはメインの電源に接続されるからである。したがって、切り替え速度は電源によって決まる。
【００３６】
ユーザが反応し、受信された第１のフレームに応答して、自分の時計を送信モードに切り替えるまで、コンピュータ・ステーションは第１のフレームが続く長い一連の同期バイトを数回送信することに留意されたい。長い一連の同期バイトと第１のフレームの各反復の間の間隔は、１３０ｍｓ程度である。時計からの応答に対する最大待機時間は、たとえば４５秒に設定することができる。
【００３７】
本発明のよる方法の１つの利点は、同期フィールド４１のサイズを動的に変えることができることであり、これはＲＦ切り替え速度および伝送品質によって決まる。このために、情報フレーム４０を受信すると、同期バイトの数がカウントされる。これはたとえば時計のデータ管理ユニットにおける、あるいはコンピュータ・ステーションのコントロール手段の管理プログラムにおけるカウンタによって行われる。各フレームにおける少なくとも３つの同期バイト、ならびにさらに２つのセキュリティ・バイトをカウントできることが必要である。カウントされる同期バイトの数が最小の５つの同期バイトより大きい場合、同期フィールドのサイズを少なくとも１バイトだけ減らすための指示が送信側に送信される。他方では、カウントされたバイトの数が最小の５つの同期バイトより小さい場合、同期フィールドのサイズを少なくとも１バイト、好ましくは３バイトだけ増すための指示が送信側に送信される。同じことは、応答が受信されない場合にもあてはまる。これは一連の同期バイトが短すぎることを意味する可能性がある。
【００３８】
コンピュータ・ステーションと時計の間で接触を確立しようとする試みの開始に、情報フレーム４０の同期フィールド４１におけるバイト数を２５バイトに、たとえばセキュリティの処置として設定できることに留意されたい。
【００３９】
同期フィールド・サイズを変えるための指示が、各情報フレーム４０の情報パケット４２のヘッディング４４に入れられている。この情報パケット４２は、ヘッディング４４の後、ペイロード情報フィールド４５および巡回冗長検査（ＣＲＣ）フィールド４６を含む。ＣＲＣコードは当技術分野では周知であり、主として先行する情報における送信エラーをチェックするために使用される。エラーが起こった場合、送信側ユニットは情報フレームを受信側ユニットに再度送信しなければならない。
【００４０】
ヘッディング４４は３バイトからなり、第１のバイトが４つのコントロール・ビット４７、送信された情報のタイプに関係する３つのコード・ビット４８、および受信された同期フィールド４１のサイズに関係する指示４９を含む。ヘッディングの最後の２バイトは、時計の識別番号の最後の２バイトに関係する。４つのコントロール・ビット４７は、エラーが検出されないことを示すためには、３つのコード・ビット４８と指示４９も反対の値を有していなければならないことに留意されたい。指示４９は、受信された同期フィールド４１が小さすぎる場合は１、または受信された同期フィールド４１が大きすぎる場合は０の値である。
【００４１】
コンピュータ・ステーションが、パーソナライズド・ウォッチの識別番号を知らない場合、前記ステーションによって送信された第１のフレームは、特有の番号、たとえば１６進数で００００を含む。時計が、コンピュータ・ステーションによって選択された伝送チャネル上にロックしているとき、その識別番号を有するフレームをコンピュータ・ステーションに送信する。したがって、新しいパーソナライズド・ウォッチの識別番号を、コンピュータ・ステーションにおけるメモリに格納することができる。上で示したようなアンチ・コリジョンの原理は、複数のコンピュータ・ステーションがそれぞれ同じ受信可能エリア内の対応するパーソナライズド・ウォッチと通信することを試みている状況について使用される。したがって、各時計は、それ自体の識別番号を認識している場合にのみ、ステーションのうち１つに応答する。コンピュータ・ステーションと時計の各組み合わせの選択された伝送チャネルは、情報転送問題を防止するために異なる。
【００４２】
一方のユニットから他方のユニットに送信される様々なタイプの情報コード４８が、以下の表で定義される。第１の表Ｉは、コンピュータ・ステーションから時計に送信される情報コードに関係し、第２の表ＩＩは、時計からコンピュータ・ステーションに送信される情報コードに関係する。
【表１】
0004084688.tif 000002
【表２】
0004084688.tif 000003
【００４３】
通信がコンピュータ・ステーションとパーソナライズド電子時計の間で確立されると、すべての情報フレームは、コードが上の表で定義されたように送信される情報のタイプを指定するヘッディングを含む。特に、データ転送のタイプをコンピュータ・ステーションにおいて選択あるいはプログラムすることができ、それらのタイプは、ステーションから時計への同期ありの転送（読み取り／書き込み）、時計からステーションへの同期ありの転送（読み取り）、またはステーションから時計への上書き転送（書き込み）とすることができる。
【００４４】
時計の不揮発性メモリからのデータの転送に関係する動作を管理するのがコンピュータ・ステーションであるので、ステーションは無線周波数信号でメモリ・アドレスを直接時計へ送信する。したがって、時計が無線周波数信号を受信すると、そのメモリ・アドレスは、時計のデータ管理ユニットを介して特定のメモリ位置を直接ポイントすることができる。コンピュータ・ステーションから無線周波数信号で送信されるメモリ・アドレスをフォーマットすることによって、時計のメモリのデータを読み取りあるいはそれへデータを書き込むために時計において実行される動作が単純化され、これにより時計のバッテリの電力消費が削減される。データ管理ユニットで、このデータを４０ｋＨｚより低い周波数で処理することができる。以前は、メモリ・アドレスに関係する情報なしに受信された信号を処理するために、５１２ｋＨｚ程度の周波数でクロックされたより複雑な管理ユニットを持つ必要があった。
【００４５】
情報伝送方法の最初のステップで、ＥＥＰＲＯＭの静的ゾーンのページ０に関係するデータが送信される。このようにして、コンピュータ・ステーションは、時計の動的ゾーンの最後のデータ項目の位置および様々なパラメータの位置を決定することができる。メモリの静的ゾーンに格納された空のエリアのポインタは、送信されるメモリのデータ・ページの有効な数を定義する。
【００４６】
時計のメモリに格納された様々なパラメータが得られると、特にこのページ０において、たとえばデータをメモリから読み取ることが可能である。この場合、コンピュータ・ステーションがフレーム４０を送信し、この中でコード１０１（ＤＯＷＮＬＯＡＤ）が指定される。このヘッディングの後、情報パケット４２が３バイトの書き込みアドレス・フィールド、１バイトの読み取り命令フィールド、およびＣＲＣフィールドを含む。時計は、時計の送信および／または受信手段を切り替えた後に、応答フレーム４０のパケット４２のヘッディング４４におけるコード００１（ＤＡＴＡ  ＤＯＷＮＬＯＡＤ）を用いて、データをコンピュータ・ステーションにダウンロードする情報を送信することによって応答する。応答ヘッディングの後で、情報パケットが、送信されたデータ項目の数およびＣＲＣフィールドを与える情報フィールドを含む。
【００４７】
その読み取り要求フレームの後、コンピュータ・ステーションは、読み取りを継続するように要求するコード１１０（ＣＯＮＴＩＮＵＥ  ＲＥＡＤ）を含むヘッディング４４を有するフレームを送信する。この場合、読み取り命令のみが時計に送信されてメモリ・データの読み取りが継続され、これは時計がその内部ポインタを、ページの概念に関係なく増分するからである。転送中に問題が起こらない限り、時計は、ヘッディング内にコード００１を有する応答フレームを送信する。
【００４８】
情報の転送の終了で、送信コードの終了０００（ＥＮＤ）を有する情報フレームがコンピュータ・ステーションから時計に送信され、時計によってコンピュータ・ステーションへ確認される。このときから、時計の送信および／または受信手段がオフにされ、他のダイアリ機能を再度使用することができる。
【００４９】
メモリにコンピュータ・ステーションからのデータを書き込む場合、コンピュータ・ステーションによって送信された最初の情報フレームは、データを時計にロードするためのコード１００（ＵＰＬＯＡＤ）を含む。メモリにコンピュータ・ステーションからのデータを書き込む間、時計はコンピュータ・ステーションに、送信が適切に受信されている場合はコード１０１（ＡＣＫＮＯＷＬＥＤＧＥ）を有する情報フレーム４０を、あるいは、送信中にエラーが起こった場合はコード１１０（ＮＯ  ＡＣＫＮＯＷＬＥＤＧＥ）を有する情報フレーム４０を送信する。この後者の場合、コンピュータ・ステーションは、時計がコード１０１を送信することによってその受信を確認するまで、同じ情報フレームを送信する。
【００５０】
情報の転送の終了で、先に記載したように、送信情報フレームの終了がコンピュータ・ステーションから時計へ、かつ時計からコンピュータ・ステーションへ送信され、これは時計の送信および／または受信手段を割り込むためである。
【００５１】
コンピュータ・ステーションが多数の送信エラーを記録した場合、データ・フィールドのサイズを、上に記載したように、たとえば６４バイトから３２バイトに減らすことができる。この場合、コンピュータ・ステーションは、コード１１１（ＤＡＴＡ  ＬＥＮＧＴＨ）を有する情報フレームを時計に送信してデータ・フィールドのサイズを指定する。
【００５２】
コンピュータ・ステーションから時計へ、かつ時計からコンピュータ・ステーションへの情報の無線伝送のための方法の様々な動作を、次に図５ないし１１を参照して記載する。これらの図では、長方形が機能の実行を示す。六角形は、可用性時間遅延の監督下での機能の実行を示す。菱形は条件を示す。角が切れた長方形は、たとえば表示デバイス上に現れるメッセージを示す。最後に、両側がそれぞれ二重線の長方形は、サブルーチンの実行を示す。
【００５３】
図５は、コンピュータ・ステーションにおいて実行される情報を伝送するための方法のステップの全体的な流れ図を表す。通信を確立するために、ステップ６０で、コンピュータ・ステーションの送信および／または受信手段が活動化される。このステップ６０の後、ステップ６１で、接触サーチ時間、たとえば４５秒がロードされる。したがって、ステップ６２で空き伝送チャネルのサーチを即時に行うことができる。空き伝送チャネルが選択されているとき、ステップ６３で、コンピュータ・ステーションが通信を確立することができる。ステップ６３で、時計がコンピュータ・ステーションに応答しない可能性がある。この場合、指定された時間（４５秒程度）が終了していなければ、接触サーチが再開され、ステップ６２でチャネル・サーチが再開される。
【００５４】
コンピュータ・ステーションとの通信中に、接続が瞬間的に損なわれる可能性がある。ステップ６４で接触が再確立される。接触を再確立するための時間は、たとえば３０秒程度であり、一般に接触サーチ時間より少なく、これは、ユーザが自分の時計を送信モードに切り替える時間をとる必要がないからである。
【００５５】
すべての情報がコンピュータ・ステーションと時計との間で交換されているとき、ステップ６６でアイドル・モードに戻る前に、ステップ６５で、コンピュータ・ステーションが送信フレームの終了（ＥＮＤ）を時計に送信し、送信および／または受信手段が非活動化される。
【００５６】
「リンクなし」出力が「サーチタイム終了」、すなわち４５秒または３０秒の期間の終了に対応する。チャネルが空いていない場合、最小限の干渉を有するチャネルがどのようにしてでも使用される。
【００５７】
図６は、コンピュータ・ステーションから空き伝送チャネル６２をサーチするステップを表す。
【００５８】
ステップ７０で、サーチ時間が、プログラムされたサーチ時間、たとえば４５秒に応じて終了しているかどうかをチェックする。サーチ時間が終了して、コンピュータ・ステーションの受信可能エリアにおいてパーソナライズド・ウォッチを有するリンクがないと、ステーションの送信および／または受信手段が非活動化される。サーチ時間が終了していない場合、ステップ７１で使用可能チャネルの数が５に設定され、ステップ７２でチャネルが選択される。ステップ７３で、受信信号強度指示（ＲＳＳＩ）が、選択されたチャネルについて測定される。ＲＳＳＩを測定した後、ステップ７４で、サーチされるチャネルの数が１ずつ少なくされる。
【００５９】
ステップ７５で、チャネルの数がゼロに等しいかどうかをチェックし、これは、すべてのチャネルがサーチされていることを意味する。そうでなかった場合、アルゴリズムがステップ７２に戻る。ステップ７５で、減分されたときのチャネルの数がゼロに等しいとき、ステップ７６でチャネルの数が５に復元される。
【００６０】
５つのチャネルのうち第１のものについて測定されたＲＳＳＩが、与えられたＲＳＳＩしきい値と比較される。測定されたＲＳＳＩが、よい伝送品質のために必要なＲＳＳＩしきい値より低かった場合、その伝送チャネルが時計との通信をセット・アップするために選択される。そうでなかった場合、ステップ７８で、これが５つのチャネルのうち、その測定されたＲＳＳＩがステップ７７でＲＳＳＩしきい値と比較された最後のものであったかどうかをチェックする。そうであった場合、ステップ８０で、最低のＲＳＳＩを有するチャネルが、ＲＦ伝送チャネルを選択するために選択される。他方では、それが５つのチャネルのうち最後のものでなかった場合、ステップ７９で、チャネル数が１ずつ減分される。ステップ７９の後で選択された新しいチャネルの測定されたＲＳＳＩが、ステップ７７でＲＳＳＩしきい値と比較され、ステップ７７の比較が、５つのチャネルのうち最後のものが処理されるまでこのようにして実行される。５つのチャネルが伝送チャネルのサーチにおいてテストされる順序はランダムであり、これはすべてのコンピュータ・ステーションが常に同じチャネルを選択することを防止するためであることに留意されたい。
【００６１】
伝送チャネルが情報の伝送のために選択された後、コンピュータ・ステーションが通信モードに入る。コンピュータ・ステーションのこの通信モード６３の様々なステップを、図７を参照して説明する。
【００６２】
伝送チャネルを選択した後、ステップ８５で、コンピュータ・ステーションの送信および／または受信手段が送信モードＴｘに切り替えられる。ステップ８６で、コンピュータ・ステーションにおいて受信されるフレームの同期フィールドのサイズの指示が設定される。接触サーチの開始で、ステップ８７で、コンピュータ・ステーションが長い一連の同期バイトと、その後に続く情報フレームを送信する。ステップ８８で、同期フィールドが情報フレームで送信される。その中のバイト数は同期カウンタの値によって決まり、その後に続いてステップ８９で情報パケット、およびステップ９０でフィラー・バイトが送信される。
【００６３】
ステップ９１で、フィラー・バイトが送信されているとき、ステーションの送信および／または受信手段が受信モードＲｘに切り替えられる。ステップ９２で、時計からの応答フレームの同期が待機される。ステップ９３で、即時にコンピュータ・ステーションが、それと接触中である時計によって送信されたフレームの同期フィールドを受信し、ステーションのカウンタが、受信されたフレームの同期フィールドのバイト数をカウントする。ステップ９４で、同期フィールドに受信されたバイトのカウントが完了すると、ステップ９５で、ステーションが、時計から受信されたフレームのヘッディングを受信する。これは、コンピュータ・ステーションから送信される次のフレームの同期フィールドの修正の指示を含む。この指示が０であった場合、ステーションによって送信される次の同期フィールドはより多くのバイトを含まなければならず、この指示が１であった場合、次の同期フィールドはより少ないバイトを含まなければならない。これにより、同期フィールドの動的変化が可能となる。これは本発明による方法の利点の１つである。
【００６４】
ステップ９６で、応答している時計の識別番号と共に受信されたヘッディングに関係する妥当性チェックが実行される。識別番号と共に受信されたヘッディングが適切であった場合、ステップ９７で、ステーションの同期カウンタが、受信されたフレームにおける同期指示に応じて更新される。他方では、識別番号と共に受信されたヘッディングが適切でなかった場合、次のステップはステップ１０４であり、ここでステーションの同期カウンタを自動的に増分する。同じことはステップ９２においてもあてはまる。これは時計が同期待機時間中に応答しない場合である。ステップ１０５で、ステーションによって送信される次の情報パケットのヘッディングにおける指示が１に設定され、これは時計についてより長い同期フィールドを要求するためである。ステップ１０５の後、ステップ１０１で、送信エラー・カウンタを１ずつ増分しなければならない。
【００６５】
ステップ９７でカウンタが更新された後、ステップ９８でステーションがペイロード情報を、ＣＲＣコードで終了する情報パケットから受信する。ステップ９９でＣＲＣコードがチェックされる。ＣＲＣコードが適切であった場合、次のステップはステップ１０６であり、ここで送信エラー・カウンタおよびＣＲＣエラー・カウンタをクリアする。他方では、ＣＲＣコードが適切でなかった場合、ステップ１００でＣＲＣエラー・カウンタが１ずつ増分され、ステップ１０１で送信エラー・カウンタが１ずつ増分される。
【００６６】
ステップ１０２で、送信エラー・カウンタがチェックされる。カウントされた送信エラーの数がプログラムされた値より小さく、たとえば３より小さかった場合、次のステップはステップ１０８であり、ここでＣＲＣコード・エラー・カウンタをチェックする。他方では、カウントされた送信エラーの数がプログラムされた値より大きかった場合、次のステップはステップ１０３であり、ここで、問い合わされた時計に関係するチェックが実行される。時計がすでに送信中に知られている場合、問題のエラーは、時計との接続の瞬間的損失に関係する。他方では、時計がまだ知られていない場合、接触サーチを継続しなければならない。
【００６７】
ステップ１０６でエラー・カウンタがクリアされた後、次のステップはステップ１０７であり、これは送信される低減サイズ・データ・フレームの数をカウントするためのカウンタを減分するものである。送信されるデータ・フレームのサイズが低減されたサイズであった場合、理論上は、低減サイズ・フレームの特定の数、たとえば１０フレームがカウントされる。これはたとえば他のより大きいデータ・フレームを送信しようと試みる前に行われる。低減サイズ・フレーム・カウンタの数が減分された後、ステップ１０８で、ＣＲＣエラー・カウンタによってカウントされたエラーの数がチェックされる。ＣＲＣエラー・カウンタによってカウントされたエラーの数が、プログラムされた最大値より大きく、たとえば３より大きかった場合、次のステップはステップ１１３であり、これは送信されたデータ・フレームの長さをチェックするものである。他方では、ＣＲＣエラー・カウンタによってカウントされたエラーの数が、プログラムされた最大値より少なかった場合、次のステップはステップ１０９であり、これは、送信された低減サイズ・フレームの数のためのカウンタをチェックするものである。
【００６８】
ステップ１０９で、低減サイズ・フレーム・カウンタが０を示した場合、これは、低減サイズ・フレームの総数が送信されていることを意味する。この場合、次のステップはステップ１１０であり、これはフレームのデータの現在のサイズをチェックするものである。他方では、低減サイズ・フレーム・カウンタが０を示さなかった場合、次のステップはステップ１１７であり、これは送信および／または受信手段を送信モードＴｘに切り替えるものである。ステップ１１７の後のステップはステップ８８であり、これは、新しいデータ・フレームを時計に送信することを開始するものである。
【００６９】
ステップ１１０で、情報フィールドの現在のサイズ、すなわちデータ長が最大サイズ、たとえば２５６バイトであった場合、次のステップはステップ１１７であり、これはステーションの送信および／または受信手段を送信モードＴｘに切り替えるものである（上を参照）。他方では、現在のサイズがまだ最大サイズでなかった場合、ステップ１１１でこのサイズが増分され、その後、ステップ１１２で、低減サイズ・フレーム・カウンタがロードされる。ステップ１１２の後、ステップ１１７で、ステーションの送信および／または受信手段が送信モードに切り替えられる。
【００７０】
ステップ１１３で、送信されたデータ長がチェックされる。送信されたデータ長が最小であった場合、次のステップはステップ１１７であり、これはステーションの送信および／または受信手段を送信モードに切り替えるものである（上を参照）。他方では、この長さが最小でなかった場合、ステップ１１４でＣＲＣエラー・カウンタがクリアされ、その後、ステップ１１５で、送信される次のフレームのデータ長が低減される。最後にステップ１１６で、ステップ１１７に進行してステーションの送信および／または受信手段を送信モードに切り替える（上を参照）前に、低減サイズ・フレーム・カウンタがロードされる。
【００７１】
要約すると、ステップ１０９から１１２は、送信に問題がない場合にフレームのサイズを増大し、ステップ１１３から１１６は、送信が妨げられた場合にフレームのサイズを低減する。
【００７２】
図８は、時計において実行される伝送方法のステップの全体的な流れ図を示す。まず、自分の時計を身に付けているユーザがコンピュータ・ステーションの受信可能エリア内にいるとき、ステーションでリストされた時計の識別番号に基づいて、ステーションは、情報の双方向伝送のために時計を送信モードに設定するようにユーザを促す。
【００７３】
したがって、時計によって実行される最初のステップは、ステップ１３０でそのダイアリ機能の送信モードを活動化することである。送信モードが活動化された場合、チャネルが即時にサーチされる。何も発見されなかった場合にのみ、続いて２．５秒の休止が適用される。送信モードに入った後、ステップ１３１で、時計が、コンピュータ・ステーションによって選択された伝送チャネルをサーチしなければならない。これを以下で図９を参照して説明する。ステップ１３１で実行されたチャネル・サーチが多数の試みの後に、たとえば３０秒の期間の後に失敗した場合、ステップ１３４で、ステーションとの通信がないことを示すメッセージが表示される。ステップ１３５で、時計が送信モードを出る。
【００７４】
伝送チャネルが発見された後、ステップ１３２で、時計はコンピュータ・ステーションと通信することができ、これを以下で図１０を参照して説明する。コンピュータ・ステーションとの通信の間、たとえば時計がコンピュータ・ステーションの受信可能エリアから瞬間的に出た場合、通信が損なわれる可能性がある。この場合、ステップ１３１で、伝送チャネルを再度サーチすることが必要である。これはまた、ステップ１３２で、ステーションによって選択された伝送チャネル（選択された搬送波）の１つにおける識別番号が、問い合わせられている時計に関係しない場合にも必要である。通信が、同じ受信可能エリアにおける別のステーションと別の時計の間で進行中である可能性がある。このため、ステップ１３１で、時計が別の伝送チャネル上でポイントされなければならない。
【００７５】
コンピュータ・ステーションと時計の間の情報の伝送の終了で、両方のユニットが終了フレームを送信する。したがって、ステップ１３３で、コールが適切に行ったことを示すメッセージが時計上に表示され、その後、ステップ１３５で時計が送信モードを出る。
【００７６】
図９は、図８のステップ１３１で、時計において実行される、伝送チャネルをサーチするためのステップを示す。ステーションとの通信を確立するため、時計は、コンピュータ・ステーションが選択したチャネルまたは搬送波を発見しなければならない。ステップ１４０で、時計の送信および／または受信手段が活動化される。ステップ１４１でチャネルの数が５に設定され、ステップ１４２で、データ管理ユニットによってポイントされたチャネルが、５つの使用可能なチャネルから選択される。時計は、コンピュータ・ステーションによって送信された同期フレームを、ポイントされたチャネルに応じて発見するように試みる。ステップ１４３で、時計が、ステーションから受信された同期フィールドのバイトのカウントに成功した場合、伝送チャネルが発見されている。他方では、時計が同期バイトのカウントに成功しなかった場合、ステップ１４４で５つの伝送チャネルのうち別のものにポイントすること、およびチャネルの数を減分することが必要である。
【００７７】
ステップ１４５で、チャネルの数がチェックされる。チャネルの数がゼロでなかった場合、次のステップはステップ１４２であり、別の伝送チャネルを選択する。他方、チャネルの数がゼロの場合、全てのチャネルに適切なチャネルを発見されないことを意味する。伝送チャネルが発見されなかった場合、ステップ１４６で、時計の送信および／または受信手段が非活動化される。
【００７８】
ステップ１４７で、いかなる通信も起こらずに、送信モードである時計に対して最大時間チェックが実行される。この最大時間をたとえば３０秒に設定することができる。この時間が終了したとき、伝送チャネルが発見されない。他方、この時間が終了していなかった場合、ステップ１４８で、時計はたとえば２．５秒の期間にわたってアイドル・モードになり、これはステップ１４０で送信および／または受信手段を再度活動化する前である。
【００７９】
時計が伝送チャネルにロックした後、ステップ１３２で通信に入る。図１０は、時計とコンピュータ・ステーションの間の通信のステップを示す。最初にステップ１５０で、時計はコンピュータ・ステーションからの長い一連の同期バイト、またはコンピュータ・ステーションによって送信された第１のフレームの同期フィールドを待機中である。この後、ステップ１５１で、時計のデータ管理ユニットにおけるカウンタが、コンピュータ・ステーションから受信されたフレームの同期フィールドのバイト数をカウントする。同期バイト・カウントの結果に応じて、同期指示が時計からコンピュータ・ステーションへ、次のフレームのヘッディングで送信され、これは、ステーションが送信する次の同期フィールドのサイズを修正するためである。
【００８０】
ステップ１５２で、同期フィールドにおいて受信されたバイトのカウントが終了すると、ステップ１５３で、時計が、ステーションから送信されたフレームのヘッディングを受信する。ヘッディングは、時計から送信される次のフレームの同期フィールドの修正の指示を含む。この指示が０である場合、時計によって送信される次の同期フィールドはより多くのバイトを含んでいなければならず、この指示が１である場合、次の同期フィールドはより少ないバイトを含んでいなければならない。
【００８１】
これにより、同期フィールドの動的変化が可能となり、これは本発明による方法の１つの利点である。
【００８２】
ステップ１５４で、時計によって受信された識別番号または特有の番号がチェックされる。コンピュータ・ステーションによって送信されたフレームの識別番号が、問い合わせられている時計の識別番号に対応した場合、ステップ１５５で同期カウンタが更新される。他方、識別番号が、問い合わせられている時計の特有の番号にも、識別番号にも対応しなかった場合、時計は応答してはならない。この場合、ステップ１４４で、後続の伝送チャネルがポイントされなければならない（図９を参照）。
【００８３】
ステップ１５５における同期カウンタの更新は、コンピュータ・ステーションから受信されたフレームにおける同期指示に応じたものである。この指示の状態は、時計から送信される次のフレームの同期バイトの数を設定する。この指示が１である場合、同期バイトの数が増大され、この指示が０である場合、同期バイトの数が低減される。
【００８４】
ステップ１５６で、時計が、フレームのパケットのペイロード情報とＣＲＣコードを受信する。ステップ１５７で、時計が、ＣＲＣコードが送信エラーを示すことを発見した場合、ステップ１６１で、時計から送信される次のフレームのパケット・ヘッディングで同期指示が１に設定される。この後、ステップ１６２で不適切な受信のメッセージが転送される。アルゴリズムが、時計の非同期に関係するステップ１６３を介してステップ１５０（同期を待機する）に戻る。
【００８５】
ステップ１５７で送信エラーが発見されなかった場合、ステップ１５８で同期指示がロードされ、その後、ステップ１５９で転送動作が実行される。情報の完全な送信の終了と同じ方法で、各ユニットが送信フレームの終了を送信し、ステップ１６０でこのフレームの受信がチェックされる。このフレームが受信されている場合、時計の送信および／または受信手段を非活動化する前に、類似のフレームがコンピュータ・ステーションに送信される。そうでない場合、アルゴリズムが、非同期を指示するためのステップ１６３を介してステップ１５０（コンピュータ・ステーションからの次のフレームの同期を待機する）に戻る。
【００８６】
ステップ１５９および１６２における時計からコンピュータ・ステーションへの情報のすべての転送を図１１を参照して説明する。最初にステップ１７０で、時計の送信および／または受信手段が、受信モードＲｘから送信モードＴｘに切り替えられなければならない。ステップ１７１で、フレームの同期フィールドが最初にコンピュータ・ステーションに送信される。同期フィールドのバイト数は、先にコンピュータ・ステーションによって送信された同期指示に応じて、ステップ１５５（図１０）におけるカウンタの更新によって決まる。同期フィールドの後、ステップ１７２で情報パケットが送信される。この中でヘッディングが、コンピュータ・ステーションによって送信される次の同期フィールドを修正するための同期指示を含む。ヘッディングはまた、送信される情報のタイプのコードも含む。これは上で表ＩおよびＩＩを参照して記載した。ステップ１７３で、フィラー・バイトが、送信および／または受信手段を切り替えるために送信される。最後にステップ１７４で、次のフレームが受信されるために、送信および／または受信手段が送信モードＴｘから受信モードＲｘへ切り替えられる。
【００８７】
上に記載した情報伝送方法は、最小限の時間内での情報の完全な伝送を保証する。この情報はたとえば、時計の不揮発性メモリに格納されているか、あるいはこれから格納されるデータである。情報伝送時間、および、時計の送信および／または受信手段を準備するための時間を短縮することにより、上の情報転送動作中に時計のバッテリから消費されるエネルギーが最小限にされる。したがって、バッテリが従来の伝送方法よりも遅く放電する。これについては出願人の名における欧州特許出願ＥＰ０９５７５８９号において説明されており、これは参照により本明細書に組み込まれる。
【００８８】
時計の電力消費は、送信および／または受信手段が活動化されるとき、それらが非活動化されるときよりも数千倍大きいことに留意されたい。そのうえ、送信および／または受信手段が活動化されるとき、それらの電力消費は、送信モードでは受信モードの２倍である。
【００８９】
上で与えられた記載に基づいて、無線情報伝送方法の多数の変形形態を、当業者によって、特許請求の範囲によって定義されたような本発明の範囲から逸脱することなく考えることができる。本発明による方法による通信は、２つの時計または２つのコンピュータ・ステーションの間で想定することができるが、伝送が１つのパーソナライズド・ウォッチと１つのコンピュータ・ステーションの間であることが好ましい。さらに、各ユニットによって送信される信号は短距離無線周波数信号であることが好ましいが、光信号または音響信号など、他のタイプの信号を、本発明による方法において使用することができる。
【図面の簡単な説明】
【図１】本発明による情報の無線伝送の方法を実施するための、コンピュータ・ステーションおよびパーソナライズド・ウォッチを含む設備を示す図である。
【図２】本発明による、図１の情報伝送設備の様々な電子ユニットを概略的に示す図である。
【図３】本発明による伝送方法において、コンピュータ・ステーションとパーソナライズド・ウォッチの間で伝送される情報フレームのタイミング図を示す図である。
【図４】本発明による伝送方法において、無線周波数信号の高周波搬送波上に変調された情報フレームを示す図である。
【図５】コンピュータ・ステーションにおいて実行される、本発明による情報伝送方法のステップの全体的な流れ図を示す図である。
【図６】コンピュータ・ステーションにおいて空いている搬送波または伝送チャネルをサーチするために実行される、本発明による情報伝送方法のステップの流れ図を示す図である。
【図７】情報をコンピュータ・ステーションから通信するための、本発明による情報伝送方法のステップの流れ図を示す図である。
【図８】時計において実行される、本発明による情報伝送方法のステップの全体的な流れ図を示す図である。
【図９】時計において搬送波または伝送チャネルをサーチするために実行される、本発明による情報伝送方法のステップの流れ図を示す図である。
【図１０】情報を時計から通信するための、本発明による情報伝送方法のステップの流れ図を示す図である。
【図１１】情報を時計から転送するための、本発明による情報伝送方法のステップの流れ図を示す図である。
【符号の説明】
１  パーソナライズド・ウォッチ
２、２６  アンテナ
１１  不揮発性ＥＥＰＲＯＭ
１２  データ管理ユニット
１３  ＲＦモジュール
２０  コンピュータ・ステーション
２４  周辺ユニット
４０  情報フレーム
４１  同期フィールド
４２  情報パケット
４４  ヘッディング
４８  コード・ビット
４９  指示
【図１】
0004084688.tif 000004
【図２】
0004084688.tif 000005
【図３】
0004084688.tif 000006
【図４】
0004084688.tif 000007
【図５】
0004084688.tif 000008
【図６】
0004084688.tif 000009
【図７】
0004084688.tif 000010
【図８】
0004084688.tif 000011
【図９】
0004084688.tif 000012
【図１０】
0004084688.tif 000013
【図１１】
0004084688.tif 000014